(57)【要約】【課題】注射針が可撓性シースの先端から突出した状態と可撓性シース内に収納された状態の各々においてクリック静止状態を得ることができる構成について大幅なコスト削減を達成することができる内視鏡用注射具を提供すること。【解決手段】注液口金１２と把持口金１１とを各々プラスチックモールドにより形成して、弾力的に変形するクリック爪１４を一方の口金１２に一体成形により形成すると共に、クリック爪１４が弾性変形しながら係脱するクリック孔１６Ａ，１６Ｂを他方の口金１１に一体成形により形成した。【選択図】      図１
2007260218.tif 000002
【特許請求の範囲】
【請求項１】
先端に注射針が設けられた可撓性の送液管が、内視鏡の処置具挿通チャンネル内に挿脱される可撓性シース内に軸線方向に進退自在に挿通配置され、上記送液管の基端に連結された注液口金が上記可撓性シースの基端に連結された把持口金に対して軸線方向に進退操作されるように設けられると共に、上記注液口金を上記把持口金に対して所定の位置で静止状態に維持するためのクリック機構が設けられた内視鏡用注射具において、
上記注液口金と上記把持口金とを各々プラスチックモールドにより形成して、弾力的に変形するクリック爪を上記一方の口金に一体成形により形成すると共に、上記クリック爪が弾性変形しながら係脱するクリック孔を上記他方の口金に一体成形により形成したことを特徴とする内視鏡用注射具。
【請求項２】
上記クリック孔が二個形成されていて、その一方のクリック孔に上記クリック爪が係合するとき上記注射針が上記可撓性シースの先端から突出し、他方のクリック孔に上記クリック爪が係合するとき上記注射針が上記可撓性シースの先端内に収納される請求項１記載の内視鏡用注射具。
【請求項３】
上記クリック爪が上記注液口金に一体成形により形成され、上記クリック孔が上記把持口金に一体成形により形成されている請求項１又は２記載の内視鏡用注射具。
【請求項４】
上記クリック爪は、一端側が上記一方の口金と一体に繋がって他端側が自由端になっていて、上記クリック孔と係脱する突起部が上記自由端部分に突出形成されている請求項１、２又は３記載の内視鏡用注射具。
【請求項５】
上記クリック爪は、その後端側が上記一方の口金に一体に繋がっている請求項４記載の内視鏡用注射具。
【請求項６】
上記クリック爪は、その前端側が上記一方の口金に一体に繋がっている請求項４記載の内視鏡用注射具。
【請求項７】
上記クリック爪の突起部は、その側壁部がアール面取りされた凸状に形成されている請求項１ないし６のいずれかの項に記載の内視鏡用注射具。
【請求項８】
上記注射針が上記可撓性シース内に収納された状態の時だけ上記クリック爪と上記クリック孔との係合を解き易いように、上記突起部の側壁部が部分的に斜面状に形成されている請求項７記載の内視鏡用注射具。
【発明の詳細な説明】
【技術分野】
【０００１】
この発明は内視鏡用注射具に関する。
【背景技術】
【０００２】
内視鏡用注射具は一般に、先端に注射針が設けられた可撓性の送液管が、内視鏡の処置具挿通チャンネル内に挿脱される可撓性シース内に軸線方向に進退自在に挿通配置されていて、送液管の基端に連結された注液口金が可撓性シースの基端に連結された把持口金に対して軸線方向に進退操作されるように設けられると共に、注液口金を上記把持口金に対して所定の位置で静止状態に維持するためのクリック機構が設けられている（例えば、特許文献１）。
【特許文献１】実公平３−３２３２７
【発明の開示】
【発明が解決しようとする課題】
【０００３】
図６は、従来の内視鏡用注射具の手元操作部付近を示しており、注液チューブ９０の基端に取り付けられた注液口金９１と実質的に一繋がりの筒体９１ａの外周面に、軸線方向に間隔をあけて一対の円周溝９２Ａ，９２Ｂが形成され、弾性変形しながらその円周溝９２Ａ，９２Ｂと係脱する弾力性のある材料からなるＯリング９３が把持口金９４の端部に装着されて、Ｏリング９３と一対の円周溝９２Ａ，９２Ｂとによりクリック機構が構成されている。９５は、Ｏリング９３を押さえる締め環であり把持口金９４の基端部分に螺合している。
【０００４】
図７と図８は従来の内視鏡用注射具の全体構成とその動作を示しており、注液チューブ９０の先端には注射針９６が設けられ、把持口金９４には可撓性シース９７の基端側が連結されている。
【０００５】
そして、図７に示されるように、注射針９６が可撓性シース９７の先端から突出した状態の時にＯリング９３が一方の円周溝９２Ａに係合し、図８に示されるように、注射針９６が可撓性シース９７内に収納された状態の時にＯリング９３が他方の円周溝９２Ｂに係合して、その二箇所でクリックが入った状態になることにより、注液口金９１が把持口金９４に対して静止した状態に維持されるようになっている。
【０００６】
しかし、そのような構成では、いわゆるクリック静止状態を得るために、Ｏリング９３という単独部品が必要になると同時に締め環９５等のような有ネジ部材等まで必要になるため、部品コストが大きなものになって非常に経済性が悪かった。
【０００７】
そこで本発明は、注射針が可撓性シースの先端から突出した状態と可撓性シース内に収納された状態の各々においてクリック静止状態を得ることができる構成について大幅なコスト削減を達成することができる内視鏡用注射具を提供することを目的とする。
【課題を解決するための手段】
【０００８】
上記の目的を達成するため、本発明の内視鏡用注射具は、先端に注射針が設けられた可撓性の送液管が、内視鏡の処置具挿通チャンネル内に挿脱される可撓性シース内に軸線方向に進退自在に挿通配置され、送液管の基端に連結された注液口金が可撓性シースの基端に連結された把持口金に対して軸線方向に進退操作されるように設けられると共に、注液口金を把持口金に対して所定の位置で静止状態に維持するためのクリック機構が設けられた内視鏡用注射具において、注液口金と把持口金とを各々プラスチックモールドにより形成して、弾力的に変形するクリック爪を一方の口金に一体成形により形成すると共に、クリック爪が弾性変形しながら係脱するクリック孔を他方の口金に一体成形により形成したものである。
【０００９】
なお、クリック孔が二個形成されていて、その一方のクリック孔にクリック爪が係合するとき注射針が可撓性シースの先端から突出し、他方のクリック孔にクリック爪が係合するとき注射針が可撓性シースの先端内に収納されるとよい。
【００１０】
また、クリック爪が注液口金に一体成形により形成され、クリック孔が把持口金に一体成形により形成されていてもよく、クリック爪は、一端側が一方の口金と一体に繋がって他端側が自由端になっていて、クリック孔と係脱する突起部が自由端部分に突出形成されていてもよく、その場合、クリック爪は、その後端側が一方の口金に一体に繋がっていてもよく、或いは前端側が一方の口金に一体に繋がっていてもよい。
【００１１】
また、クリック爪の突起部は、その側壁部がアール面取りされた凸状に形成されていてもよく、注射針が可撓性シース内に収納された状態の時だけクリック爪とクリック孔との係合を解き易いように、突起部の側壁部が部分的に斜面状に形成されていてもよい。
【発明の効果】
【００１２】
本発明によれば、注液口金と把持口金とを各々プラスチックモールドにより形成して、弾力的に変形するクリック爪を一方の口金に一体成形により形成すると共に、クリック爪が弾性変形しながら係脱するクリック孔を他方の口金に一体成形により形成したことにより、注射針が可撓性シースの先端から突出した状態と可撓性シース内に収納された状態の各々においてクリック静止状態を得ることができる構成について大幅なコスト削減を達成することができる。
【発明を実施するための最良の形態】
【００１３】
先端に注射針が設けられた可撓性の送液管が、内視鏡の処置具挿通チャンネル内に挿脱される可撓性シース内に軸線方向に進退自在に挿通配置され、送液管の基端に連結された注液口金が可撓性シースの基端に連結された把持口金に対して軸線方向に進退操作されるように設けられると共に、注液口金を把持口金に対して所定の位置で静止状態に維持するためのクリック機構が設けられた内視鏡用注射具において、注液口金と把持口金とが各々プラスチックモールドにより形成されて、弾力的に変形するクリック爪が一方の口金に一体成形により形成され、クリック爪が弾性変形しながら係脱するクリック孔が他方の口金に一体成形により形成され、クリック孔は二個形成されていて、その一方のクリック孔にクリック爪が係合するとき注射針が可撓性シースの先端から突出し、他方のクリック孔にクリック爪が係合するとき注射針が可撓性シースの先端内に収納される。
【実施例】
【００１４】
図面を参照して本発明の実施例を説明する。
図１は、本発明の実施例の内視鏡用注射具の可撓性シース１の先端から注射針２が突出した状態を示し、図２は、可撓性シース１内に注射針２が収納された状態を示している。なお、図１及び図２共に、可撓性シース１の中間部分は一点鎖線にて略示され、先端側と手元側とでは尺度を変えて図示してある。
【００１５】
この実施例の可撓性シース１は、図示されていない内視鏡の処置具挿通チャンネル内に挿脱自在な太さと長さの例えば四フッ化エチレン樹脂チューブ等により形成されており、その最先端部分には先端チップ１ａが取り付けられている。
【００１６】
３は、可撓性シース１内に軸線方向に進退自在に全長にわたって挿通配置された可撓性の送液チューブ（送液管）であり、例えば四フッ化エチレン樹脂チューブにより形成され、送液チューブ３の先端に注射針２が真っ直ぐに連通する状態に固着されている。なお、注射針２と送液チューブ３とが一体に形成されていてもよい。
【００１７】
４は、注射針２が可撓性シース１の先端から（厳密には先端チップ１ａの先端から）所定の長さ以上突出するのを規制するために注射針２の基端近傍に固着されたストッパであり、先端チップ１ａの後端面に当接する径に形成されている。
【００１８】
可撓性シース１の基端には、可撓性シース１が内視鏡の処置具挿通チャンネルに通された状態のときでも処置具挿通チャンネルの入口外にあって術者又は補助者が手で把持する筒状の把持口金１１が取り付けられ、送液チューブ３の基端に真っ直ぐに連通接続／固着された注液口金１２が、軸線方向に進退操作できる状態に把持口金１１内に部分的に嵌挿されている。
【００１９】
１１ａと１２ａは、把持口金１１と注液口金１２とに各々鍔状に突出形成された操作用の指掛け、１２ｉは薬液注入口、１２ｂは通液孔であり、１３は、可撓性シース１の基端付近が急激に折れ曲がって座屈するのを防ぐための折れ止めチューブである。
【００２０】
このような構成により、両指掛け１１ａ，１２ａに指を掛けて把持口金１１に対して注液口金１２を軸線方向に進退操作することにより、可撓性シース１内で送液チューブ３が進退して注射針２を可撓性シース１の先端から突没させることができ、薬液注入口１２ｉに注射筒を接続して送液チューブ３内を介して注射針２の先端から薬液を送出させることができる。
【００２１】
そのような内視鏡用注射具の把持口金１１と注液口金１２は各々プラスチックモールドで形成されており、弾力的に変形するクリック爪１４が注液口金１２の側面部に注液口金１２と一体成形により形成され、そのクリック爪１４が弾性変形しながら係脱する一対のクリック孔１６Ａ，１６Ｂが、把持口金１１の側面部に把持口金１１と一体成形により形成されている。
【００２２】
この実施例のクリック爪１４は、後端側（図１及び図２において上端側）が注液口金１２と一体に繋がって、先端側が自由端になっていて、クリック孔１６Ａ，１６Ｂに係合する突起部１４ａが自由端側に突出形成されている。ただし、クリック爪１４の先端側を注液口金１２と一体に繋いで後端側を自由端にしてもよい。
【００２３】
クリック爪１４を拡大図示する図３、及び図１におけるIV−IV断面を拡大図示する図４等にも示されるように、突起部１４ａは、その側壁部が全周にわたって滑らかにアール面取りされた凸状に形成されていて、図１及び図２に示されるように突起部１４ａが一対のクリック孔１６Ａ，１６Ｂのどちらか一方に係合している状態のときはクリック爪１４はほとんど変形していない。
【００２４】
そして、突起部１４ａがクリック孔１６Ａ，１６Ｂから抜け出すと、クリック爪１４が弾性変形して突起部１４ａの頂面が把持口金１１の内周面に接する状態になり、突起部１４ａをクリック孔１６Ａ，１６Ｂから抜け出させるには、クリック爪１４を弾性変形させるのに必要な一定以上の力を加えなければならない。
【００２５】
そのような構成により、図１に示されるように、クリック爪１４の突起部１４ａが先側のクリック孔１６Ａに係合して、注液口金１２が把持口金１１に対してクリック静止した状態になっている時は、注射針２が可撓性シース１の先端から突出してストッパ４が先端チップ１ａの後端面に当接しているので、生体組織に対して注射針２を突き刺して注射を行うことができる。
【００２６】
そこで、クリック爪１４の突起部１４ａが先側のクリック孔１６Ａから抜け出すために必要な力より大きな操作力を注液口金１２に加えて、注液口金１２を把持口金１１から引き出す方向に操作すれば、図２に示されるように、クリック爪１４の突起部１４ａが後側のクリック孔１６Ｂに係合する。
【００２７】
その結果、注射針２が可撓性シース１内に収納された状態で、注液口金１２が把持口金１１に対してクリック静止するので、可撓性シース１を内視鏡の処置具挿通チャンネル内に安全に挿脱することができる。
【００２８】
そして、クリック爪１４の突起部１４ａが後側のクリック孔１６Ｂから抜け出すために必要な力より大きな操作力を注液口金１２に加えて、注液口金１２を把持口金１１に押し込む方向に操作すれば、クリック爪１４の突起部１４ａが後側のクリック孔１６Ｂから外れて、注射針２を再び突出させることができる。
【００２９】
なお、図５に示されるように、突起部１４ａの側壁部の先側の面１４ｂのみを斜面状に形成すると、クリック爪１４が先側のクリック孔１６Ａから抜け出すのに必要な操作力は変わらないが、後側のクリック孔１６Ｂから抜け出すのに必要な操作力が小さくなり、したがって、注射針２が可撓性シース１内に収納された状態の時（だけ）クリック爪１４と後側のクリック孔１６Ｂとの係合が解き易くなって使用し易くなる。
【００３０】
なお、本発明は上記実施例に限定されるものではなく、例えばクリック爪１４の具体的な形状等は各種の実施態様をとることができる。また、クリック爪１４を把持口金１１側に形成して、クリック孔１６Ａ，１６Ｂを注液口金１２側に形成してもよい。
【図面の簡単な説明】
【００３１】
【図１】本発明の実施例の注射針が可撓性シースの先端から突出した状態の全体構成の内視鏡用注射具の側面断面図である。
【図２】本発明の実施例の注射針が可撓性シース内に収納された状態の全体構成の内視鏡用注射具の側面断面図である。
【図３】本発明の実施例のクリック爪の部分拡大側面断面図である。
【図４】本発明の実施例の図１におけるIV−IV拡大断面図である。
【図５】本発明の実施例のクリック爪の変形例の部分拡大側面断面図である。
【図６】従来の内視鏡用注射具の手元操作部付近の半側面断面図である。
【図７】従来の内視鏡用注射具の注射針が可撓性シースの先端から突出した状態の全体構成の側面部分断面図である。
【図８】従来の内視鏡用注射具の注射針が可撓性シース内に収納された状態の全体構成の側面部分断面図である。
【符号の説明】
【００３２】
１  可撓性シース
２  注射針
３  送液チューブ（送液管）
１１  把持口金
１２  注液口金
１４  クリック爪
１４ａ  突起部
１６Ａ，１６Ｂ  クリック孔
【図１】
2007260218.tif 000003
【図２】
2007260218.tif 000004
【図３】
2007260218.tif 000005
【図４】
2007260218.tif 000006
【図５】
2007260218.tif 000007
【図６】
2007260218.tif 000008
【図７】
2007260218.tif 000009
【図８】
2007260218.tif 000010